(57)【要約】【課題】温度変化があっても打上げミラーの収差の悪化を抑制できるベース部材への打上げミラーの取付け構造を提供する。【解決手段】打上げミラー１は、矩形の板状であり、光路を間に挟む左右両側の縁がベース部材２に形成されている座面２１、２２上に載置されるとともに、前後両側のうちの前側の端面１３がベース部材２に形成されている突条２３に当接している。そして、左右両側のうちの一方である左側の端面１１と座面２１とが間隔をあけて２点に塗布された紫外線硬化性の接着剤３Ａ、３Ｂの硬化によって接着固定され、左右両側のうちの他方である右側の端面１２と座面２２とが間隔をあけて２点に塗布された熱硬化性の接着剤４Ａ、４Ｂの硬化によって接着固定される。紫外線硬化性の接着剤３Ａ、３Ｂは、熱硬化性の接着剤４Ａ、４Ｂよりも硬化後の硬さが軟らかい。【選択図】図１
2007157293.tif 000002
【特許請求の範囲】
【請求項１】
光ディスクの記録面に沿った径方向に移動するベース部材に取り付けられ、光源から出射されて導かれた光を光ディスクの記録面に向けて反射させる打上げミラーのベース部材への取付け構造であって、
打上げミラーは、矩形の板状で、光ディスクの記録面からの戻り光を光ディスクの記録面と平行に反射させる全反射ミラーであり、光路を間に挟む左右両側の縁がベース部材に形成されている座面上に載置されるとともに、前後両側のうちの一方の端面がベース部材に形成されている突条に当接し、前後両側のうちの他方の端面と座面とが左右に１点ずつ塗布された第１の接着剤の硬化によって接着固定され、左右両側の端面と座面とが左右対称で間隔をあけて２点ずつ塗布された第２の接着剤の硬化によって接着固定されており、
第２の接着剤が熱硬化性の接着剤であり、第１の接着剤が第２の接着剤よりも硬化後の硬さが軟らかい紫外線硬化性の接着剤である打上げミラーのベース部材への取付け構造において、
打上げミラーは、第１の接着剤の前記塗布位置、第２の接着剤の前記塗布位置に替えて、左右両側のうちの一方の端面と座面とが間隔をあけて２点に塗布された第１の接着剤の硬化によって接着固定され、左右両側のうちの他方の端面と座面とが間隔をあけて２点に塗布された第２の接着剤の硬化によって接着固定されており、
第１の接着剤が塗布された２点と、第２の接着剤が塗布された２点とが、互いに左右対称であることを特徴とするベース部材への打上げミラーの取付け構造。
【請求項２】
光ディスクの記録面に沿った径方向に移動するベース部材に取り付けられ、光源から出射されて導かれた光を光ディスクの記録面に向けて反射させる打上げミラーのベース部材への取付け構造であって、
打上げミラーは、矩形の板状であり、光路を間に挟む左右両側の縁がベース部材に形成されている座面上に載置されるとともに、前後両側のうちの一方の端面がベース部材に形成されている突条に当接し、左右両側のうちの一方の端面と座面とが間隔をあけて２点に塗布された第１の接着剤の硬化によって接着固定され、左右両側のうちの他方の端面と座面とが間隔をあけて２点に塗布された第２の接着剤の硬化によって接着固定されており、
第１の接着剤は、第２の接着剤よりも硬化後の硬さが軟らかいことを特徴とするベース部材への打上げミラーの取付け構造。
【請求項３】
前記第１の接着剤が塗布された２点と、前記第２の接着剤が塗布された２点とが、互いに左右対称であることを特徴とする請求項２に記載のベース部材への打上げミラーの取付け構造。
【請求項４】
前記第１の接着剤が紫外線硬化性の接着剤であり、前記第２の接着剤が熱硬化性の接着剤であることを特徴とする請求項２又は３に記載のベース部材への打上げミラーの取付け構造。
【請求項５】
前記打上げミラーは、光ディスクの記録面からの戻り光を光ディスクの記録面と平行に反射させる全反射ミラーであることを特徴とする請求項２から４のいずれかに記載のベース部材への打上げミラーの取付け構造。
【発明の詳細な説明】
【技術分野】
【０００１】
本発明は、情報記録媒体であるＣＤやＤＶＤ等の光ディスクに対して情報の再生や記録を行うための光ピックアップにおけるベース部材への打上げミラーの取付け構造に関する。
【背景技術】
【０００２】
一般に、光ピックアップ装置では、回転する光ディスクの記録面に沿った径方向に往復移動する光ピックアップを備えている。この光ピックアップは、大きくは、レーザ光等の光を出射するレーザダイオード等の光源、光源からの光に基づく光ディスクからの戻り光を最終的に受光して検出し電気信号に変換するフォトダイオード等の光検出器、光源からの光を光ディスクの反射を経て光検出器まで導くミラーや回折格子や対物レンズ等の光学系、これらの各部品が取り付けられて駆動されるベース部材、より構成される。
【０００３】
このような光ピックアップにおける光学系の配置構成の一例を、図３及び図４に示す。ここで図４は図３のＡ矢視を示している。この光ピックアップでは、光源５１が、光ディスク５７の記録面５７ａに対して平行に光を出射するように配設されている。光源５１から出射された光は、回折格子５２を経て分光された後、ハーフミラー５３によって一旦光ディスク５７の記録面５７ａと平行に反射され、打上げミラー１に導かれる。その光は、打上げミラー１によって光ディスク５７の記録面５７ａに向けて反射される。打上げミラー１と光ディスク５７の記録面５７ａとの間の光路中には、コリメートレンズ５４及び対物レンズ５５が配設されていて、打上げミラー１で反射した光は、コリメートレンズ５４によって平行光束にされた後、続く対物レンズ５５によって光ディスク５７の記録面５７ａ上に集光される。
【０００４】
その光は、光ディスク５７の記録面５７ａで反射し、対物レンズ５５及びコリメートレンズ５４を順に経て打上げミラー１に戻る。打上げミラー１に戻った戻り光は、打上げミラー１によって光ディスク５７の記録面５７ａと平行に反射されてハーフミラー５３に戻る。その戻り光は、ハーフミラー５３を透過して、光検出器５６に導かれる。そして、光検出器５６では、光ディスク５７の記録面５７ａからの戻り光を受光して検出し、電気信号に変換する。こうして、光ディスク５７の記録面５７ａ上の記録情報が再生信号として取得される。また、対物レンズ５５に対してのトラッキングやフォーカシング補正用の信号も生成される。
【０００５】
ここで、ベース部材への打上げミラー１の取付けにあたっては、ベース部材に対し、打上げミラー１を接着剤による接着によって固定するのが一般的である。その取付け構造についての従来技術の一例（例えば特許文献１参照）を図５及び図６を参照しながら説明する。
【０００６】
ここで用いられる打上げミラー１は、矩形の板状であって、ガラス板等から成る全反射ミラーである。ベース部材２は、硬質樹脂のエンジニアリングプラスチック、例えばポリフェニレンサルファイド（ＰＰＳ）を材質とする成型品である。図５、図６に示すように、ベース部材２の裏面上には、打上げミラー１を４５度傾けた姿勢で載置するための一対の座面２１、２２が、互いの間に光路（太線矢印参照）が存在するように所定間隔をあけて形成されている。各座面２１、２２上には、打上げミラー１における光路を間に挟む左右両側の縁が、それぞれ載置される。また、ベース部材２の裏面上には、座面２１、２２の一端同士を架け渡すように突条２３が形成されている。各座面２１、２２上に左右両側の縁が載置された打上げミラー１は、前後両側のうちの一方である前側の端面１３が、その突条２３に当接して位置決めされる。
【０００７】
このような状態で、打上げミラー１における前後両側のうちの他方である後側の端面１４と各座面２１、２２とで形成される隅部に、左右に１点ずつ、紫外線硬化性の接着剤１０３Ａ、１０３Ｂを塗布し、その後、紫外線を所定時間照射して、紫外線硬化性の接着剤１０３Ａ、１０３Ｂを硬化させる。これにより、打上げミラー１における後側の端面１４と各座面２１、２２とが接着され、ベース部材２に対し打上げミラー１が一次的に接着固定される。
【０００８】
続いて、打上げミラー１における左右両側の端面１１、１２と各座面２１、２２とで形成される隅部に、左右対称で間隔をあけて２点ずつ、熱硬化性の接着剤１０４Ａ、１０４Ｂ、１０４Ｃ、１０４Ｄを塗布し、その後、所定時間加熱して、熱硬化性の接着剤１０４Ａ、１０４Ｂ、１０４Ｃ、１０４Ｄを硬化させる。これにより、打上げミラー１における左右両側の端面１１、１２と各座面２１、２２とが接着され、ベース部材２に対し打上げミラー１が完全に接着固定される。これで、ベース部材２への打上げミラー１の取付けが完了する。
【特許文献１】特開２００４−１０９８４３号公報
【発明の開示】
【発明が解決しようとする課題】
【０００９】
しかし、上記したベース部材２への打上げミラー１の取付け構造では、温度変化に伴って打上げミラー１の収差が著しく悪化することがあった。その原因としては、温度変化に伴う打上げミラー１の歪みが考えられ、その一因に、熱硬化性の接着剤１０４Ａ、１０４Ｂ、１０４Ｃ、１０４Ｄの塗布位置が関係する。つまり、熱硬化性の接着剤１０４Ａ、１０４Ｂ、１０４Ｃ、１０４Ｄは、それ自身硬化後の硬さが硬く、弾性変形もほとんどし得ないわけであるが、上記した取付け構造では、打上げミラー１が、左右両側の端面１１、１２を合計４点に塗布された熱硬化性の接着剤１０４Ａ、１０４Ｂ、１０４Ｃ、１０４Ｄで接着固定されて、左右方向を強固に拘束されているため、温度変化に伴う打上げミラー１の左右方向の熱伸縮が十分に解放されず、その結果として、打上げミラー１に歪みが発生する。
【００１０】
そこで本発明は、上記の問題に鑑みてなされたものであり、温度変化があっても打上げミラーの収差の悪化を抑制できるベース部材への打上げミラーの取付け構造を提供することを目的とするものである。
【課題を解決するための手段】
【００１１】
上記目的を達成するため、本発明は、光ディスクの記録面に沿った径方向に移動するベース部材に取り付けられ、光源から出射されて導かれた光を光ディスクの記録面に向けて反射させる打上げミラーのベース部材への取付け構造であって、打上げミラーは、矩形の板状で、光ディスクの記録面からの戻り光を光ディスクの記録面と平行に反射させる全反射ミラーであり、光路を間に挟む左右両側の縁がベース部材に形成されている座面上に載置されるとともに、前後両側のうちの一方の端面がベース部材に形成されている突条に当接し、前後両側のうちの他方の端面と座面とが左右に１点ずつ塗布された第１の接着剤の硬化によって接着固定され、左右両側の端面と座面とが左右対称で間隔をあけて２点ずつ塗布された第２の接着剤の硬化によって接着固定されており、第２の接着剤が熱硬化性の接着剤であり、第１の接着剤が第２の接着剤よりも硬化後の硬さが軟らかい紫外線硬化性の接着剤である打上げミラーのベース部材への取付け構造において、次の点を特徴とする。打上げミラーは、第１の接着剤の前記塗布位置、第２の接着剤の前記塗布位置に替えて、左右両側のうちの一方の端面と座面とが間隔をあけて２点に塗布された第１の接着剤の硬化によって接着固定され、左右両側のうちの他方の端面と座面とが間隔をあけて２点に塗布された第２の接着剤の硬化によって接着固定されており、第１の接着剤が塗布された２点と、第２の接着剤が塗布された２点とが、互いに左右対称になっている。
【００１２】
このようにすれば、打上げミラーが、左右両側のうちの一方の端面を、第２の接着剤よりも硬化後の硬さが軟らかく、弾性変形に富む第１の接着剤で接着固定される一方、左右両側のうちの他方の端面を、硬化後の硬さが硬い第２の接着剤で接着固定されることになる。そうすると、温度変化に伴う打上げミラーの左右方向の熱伸縮が第１の接着剤の弾性変形で許容され、その結果、打上げミラーに歪みはほとんど生じない。
【００１３】
また、上記目的を達成するために、本発明は、光ディスクの記録面に沿った径方向に移動するベース部材に取り付けられ、光源から出射されて導かれた光を光ディスクの記録面に向けて反射させる打上げミラーのベース部材への取付け構造であって、打上げミラーは、矩形の板状であり、光路を間に挟む左右両側の縁がベース部材に形成されている座面上に載置されるとともに、前後両側のうちの一方の端面がベース部材に形成されている突条に当接し、左右両側のうちの一方の端面と座面とが間隔をあけて２点に塗布された第１の接着剤の硬化によって接着固定され、左右両側のうちの他方の端面と座面とが間隔をあけて２点に塗布された第２の接着剤の硬化によって接着固定されており、第１の接着剤は、第２の接着剤よりも硬化後の硬さが軟らかくなっている。
【００１４】
このようにすれば、打上げミラーが、左右両側のうちの一方の端面を、第２の接着剤よりも硬化後の硬さが軟らかく、弾性変形に富む第１の接着剤で接着固定される一方、左右両側のうちの他方の端面を、硬化後の硬さが硬い第２の接着剤で接着固定されることになる。そうすると、温度変化に伴う打上げミラーの左右方向の熱伸縮が第１の接着剤の弾性変形で許容され、その結果、打上げミラーに歪みはほとんど生じない。
【００１５】
ここで、前記第１の接着剤が塗布された２点と、前記第２の接着剤が塗布された２点とが、互いに左右対称であることが好ましい。
【００１６】
また、実用性を踏まえると、前記第１の接着剤が紫外線硬化性の接着剤であり、前記第２の接着剤が熱硬化性の接着剤であることが好ましい。
【００１７】
また、実用的には、前記打上げミラーは、光ディスクの記録面からの戻り光を光ディスクの記録面と平行に反射させる全反射ミラーであるとよい。
【発明の効果】
【００１８】
本発明のベース部材への打上げミラーの取付け構造によれば、温度変化に伴う打上げミラーの左右方向の熱伸縮が第１の接着剤の弾性変形で許容され、その結果、打上げミラーに歪みはほとんど生じないため、温度変化があっても打上げミラーの収差の悪化を抑制できる。
【発明を実施するための最良の形態】
【００１９】
以下に、本発明の一実施形態であるベース部材への打上げミラーの取付け構造について図面を参照しながら詳述する。図１は本発明の一実施形態であるベース部材への打上げミラーの取付け構造を示す平面図であって、ベース部材を裏面側から見た状態を示している。図２はその要部を示す断面図である。なお、図中で図３〜図６と同じ名称で同じ機能を果たす部分には同一の符号を付し、重複する説明は適宜省略する。
【００２０】
本実施形態での打上げミラー１は、従来のものと同じく、矩形の板状であって、ガラス板等から成る全反射ミラーである。ベース部材２も、従来のものと同じく、ＰＰＳ等の硬質樹脂のエンジニアリングプラスチックを材質とする成型品であって、その裏面上には、打上げミラー１の左右両側の縁が載置される一対の座面２１、２２と、載置された打上げミラー１の前側の端面１３が当接する位置決め用の突条２３と、が形成されている。
【００２１】
但し本実施形態では、従来のものと比較して、接着剤の塗布状況が大きく異なる。つまり、各座面２１、２２上に左右両側の縁が載置され、前側の端面１３が突条２３に当接して位置決めされた状態の打上げミラー１について、左右両側のうちの一方である左側の端面１１と座面２１とで形成される隅部に、前後で間隔をあけて２点、紫外線硬化性の接着剤３Ａ、３Ｂを塗布し、その後、紫外線を所定時間照射して、紫外線硬化性の接着剤３Ａ、３Ｂを硬化させる。これにより、打上げミラー１における左側の端面１１と座面２１とが接着され、ベース部材２に対し打上げミラー１が一次的に接着固定される。
【００２２】
続いて、打上げミラー１における左右両側のうちの他方である右側の端面１２と座面２２とで形成される隅部に、前後で間隔をあけて２点、紫外線硬化性の接着剤３Ａ、３Ｂの塗布位置と丁度左右対称になるように、熱硬化性の接着剤４Ａ、４Ｂを塗布し、その後、所定時間加熱して、熱硬化性の接着剤４Ａ、４Ｂを硬化させる。これにより、打上げミラー１における右側の端面１２と座面２２とが接着され、ベース部材２に対し打上げミラー１が完全に接着固定される。これで、ベース部材２への打上げミラー１の取付けが完了する。
【００２３】
このような取付け構造にすれば、打上げミラー１が、左右両側のうちの一方である左側の端面１１を、熱硬化性の接着剤４Ａ、４Ｂよりも硬化後の硬さが軟らかく、弾性変形に富む紫外線硬化性の接着剤３Ａ、３Ｂで接着固定される一方、左右両側のうちの他方である右側の端面１２を、硬化後の硬さが硬い熱硬化性の接着剤４Ａ、４Ｂで接着固定されることになる。そうすると、温度変化に伴う打上げミラー１の左右方向の熱伸縮が紫外線硬化性の接着剤３Ａ、３Ｂの弾性変形で許容され、その結果、打上げミラー１に歪みはほとんど生じない。従って、温度変化があっても打上げミラー１の収差の悪化を抑制できる。
【００２４】
その他本発明は上記の実施形態に限定されず、本発明の趣旨を逸脱しない範囲で、種々の変更が可能である。例えば、上記の実施形態では、打上げミラー１における左右両側のうち、左側の端面１１に紫外線硬化性の接着剤３Ａ、３Ｂを塗布して接着固定し、右側の端面１２に熱硬化性の接着剤４Ａ、４Ｂを塗布して接着固定したが、左右両側で互いに硬化後の硬さが異なる接着剤が塗布される限り、左右で逆になってもよいし、その接着剤の材質種類に限定はない。また、２点に塗布された紫外線硬化性の接着剤３Ａ、３Ｂの塗布位置と、２点に塗布された熱硬化性の接着剤４Ａ、４Ｂの塗布位置とは、個々に間隔があいている限り、左右非対称であっても構わない。
【００２５】
また、位置決め用の突条２３の位置については、上記の実施形態では、打上げミラー１における前後両側のうちの前側の端面１３に当接するように形成されているが、これに替えて、打上げミラー１の後側の端面１４に当接するように形成されても構わない。また、打上げミラー１については、光ディスク５７の記録面５７ａからの戻り光を光ディスク５７の記録面５７ａと平行に反射させる全反射ミラーに限らず、その戻り光を透過させるハーフミラーにも適用が可能である。
【産業上の利用可能性】
【００２６】
本発明は、光ディスクに対して情報の再生や記録を行うための光ピックアップ装置に搭載される光ピックアップに有用である。
【図面の簡単な説明】
【００２７】
【図１】本発明の一実施形態であるベース部材への打上げミラーの取付け構造を示す平面図である。
【図２】図１の要部を示す断面図である。
【図３】従来一般の光ピックアップ装置における光学系の配置構成の一例を示す図である。
【図４】図３のＡ矢視図である。
【図５】従来のベース部材への打上げミラーの取付け構造を示す平面図である。
【図６】図５の要部を示す断面図である。
【符号の説明】
【００２８】
１    打上げミラー
１１    打上げミラーの左側の端面
１２    打上げミラーの右側の端面
１３    打上げミラーの前側の端面
１４    打上げミラーの後側の端面
２    ベース部材
２１、２２    座面
２３    突条
３Ａ、３Ｂ    紫外線硬化性の接着剤
４Ａ、４Ｂ    熱硬化性の接着剤
【図１】
2007157293.tif 000003
【図２】
2007157293.tif 000004
【図３】
2007157293.tif 000005
【図４】
2007157293.tif 000006
【図５】
2007157293.tif 000007
【図６】
2007157293.tif 000008